(57)【要約】【課題】空間演出および空間照明に適する照明装置を提供する。【解決手段】照明装置は、筐体、第１照明部、第２照明部を具備する。筐体は、光取出面を有する。第１照明部は、筐体の中央側に配置され、出力する光を調色可能な複数の発光ユニットを有し、所定の映像を表示する。第２照明部は、光取出面に沿う方向において第１照明部の周囲に配置され、所定の照射面を照明する。【選択図】図１
2018147747.tif 000002
【特許請求の範囲】
【請求項１】
光取出面を有する筐体と；
前記筐体の中央側に配置され、出力する光を調色可能な複数の発光ユニットを有し、所定の映像を表示するための第１照明部と；
前記光取出面に沿う方向において前記第１照明部の周囲に配置され、所定の照射面を照明するための第２照明部と；
を具備することを特徴とする照明装置。
【請求項２】
前記第１照明部と前記第２照明部とは、色相が互いに異なる光を出射することを特徴とする請求項１に記載の照明装置。
【請求項３】
前記第２照明部は、前記第１照明部よりも輝度が高い光を出射することを特徴とする請求項１または２に記載の照明装置。
【請求項４】
前記第１照明部と前記第２照明部との間に前記第１照明部の前記光取出面側の端部よりも突出する内壁；
をさらに具備し、
前記第２照明部は、前記光取出面側の端部が、前記内壁が有する前記光取出面側の端部よりも前記光取出面から離れるように配置されることを特徴とする請求項１〜３のいずれか一項に記載の照明装置。
【請求項５】
前記第２照明部は、前記内壁により遮蔽される遮光角が４５°以下の鋭角であることを特徴とする請求項４に記載の照明装置。
【発明の詳細な説明】
【技術分野】
【０００１】
本発明の実施形態は、照明装置に関する。
【背景技術】
【０００２】
発光素子を光源とする照明光とプロジェクタから投影される画像といった照明特性の異なる複数の光を組み合わせて空間演出を行う照明装置が開発されている。
【先行技術文献】
【特許文献】
【０００３】
【特許文献１】特開２０１２−１８６１１８号公報
【発明の概要】
【発明が解決しようとする課題】
【０００４】
投影画像を際立たせるためには、例えば床面などの投影面を暗くする必要がある。しかしながら、投影面を暗くすると、空間照明に適した十分な光量が得られないことがある。
【０００５】
本発明が解決しようとする課題は、空間演出および空間照明に適する照明装置を提供することである。
【課題を解決するための手段】
【０００６】
実施形態の照明装置は、筐体、第１照明部、第２照明部を具備する。筐体は、光取出面を有する。第１照明部は、筐体の中央側に配置され、出力する光を調色可能な複数の発光ユニットを有し、所定の映像を表示する。第２照明部は、光取出面に沿う方向において第１照明部の周囲に配置され、所定の照射面を照明する。
【発明の効果】
【０００７】
本発明によれば、空間演出および空間照明に適する照明装置を提供することができる。
【図面の簡単な説明】
【０００８】
【図１】実施形態１に係る照明装置を示す平面図である。
【図２】実施形態１に係る照明装置を示す図１のＡ−Ａ断面図である。
【図３】実施形態１に係る照明装置を示す図１のＢ−Ｂ断面図である。
【図４】実施形態１に係る照明装置が備える第２光源を示す断面図である。
【図５】実施形態１の変形例１に係る照明装置を示す断面図である。
【図６】実施形態１の変形例２に係る照明装置を示す断面図である。
【図７】実施形態２に係る照明装置を示す平面図である。
【発明を実施するための形態】
【０００９】
以下に説明する実施形態に係る照明装置１、１Ａは、筐体１０、第１照明部２１、第２照明部４１を具備する。筐体１０は、光取出面１１を有する。第１照明部２１は、筐体１０の中央側に配置され、出力する光を調色可能な複数の発光ユニット４を有し、所定の映像を表示する。第２照明部４１は、光取出面１１に沿う方向において第１照明部２１の周囲に配置され、所定の照射面を照明する。
【００１０】
また、以下に説明する実施形態に係る第１照明部２１と第２照明部４１とは、色相が互いに異なる光を出射する。
【００１１】
また、以下に説明する実施形態に係る第２照明部４１は、第１照明部２１よりも輝度が高い光を出射する。
【００１２】
また、以下に説明する実施形態に係る照明装置１、１Ａは、第１照明部２１と第２照明部４１との間に第１照明部２１の光取出面側の端部９ａよりも突出する内壁１５をさらに具備する。第２照明部は、光取出面側の端部３６ａが、内壁１５が有する光取出面側の端部１６ａよりも光取出面１１から離れるように配置される。
【００１３】
また、以下に説明する実施形態に係る第２照明部４１は、内壁１５により遮蔽される遮光角θが４５°以下の鋭角である。
【００１４】
以下に、本発明に係る実施形態を図面に基づき説明する。なお、以下に示す各実施形態は、本発明が開示する技術を限定するものではない。また、以下に示す各実施形態及び各変形例は、矛盾しない範囲で適宜組合せることができる。また、各実施形態の説明において、同一構成には同一符号を付与して後出の説明を適宜省略する。
【００１５】
［実施形態１］
図１は、実施形態１に係る照明装置を示す平面図である。図１に示すように、実施形態１に係る照明装置１は、筐体１０、内壁１５、第１照明部２１、第２照明部４１を有する。照明装置１は、住宅や施設等の天井に埋め込まれ、第１照明部２１および第２照明部４１から筐体１０の光取出面を通じて出射される光が、床面や壁面などの下方向を照明する天井埋め込みタイプの照明装置である。
【００１６】
なお、説明を分かりやすくするために、図１には、鉛直上向きを正方向とし、鉛直下向きを負方向とするＺ軸を含む３次元の直交座標系を図示している。かかる直交座標系は、後出の説明に用いる他の図面でも示す場合がある。
【００１７】
筐体１０は、例えば鋼板製やアルミニウム製であり、第１照明部２１および第２照明部４１を収容するように構成される。また、内壁１５は、例えば鋼板製やアルミニウム製であり、第１照明部２１と第２照明部４１との間に配置されて第１照明部２１および第２照明部４１を区画する。なお、筐体１０および内壁１５は、同じ材料で構成されてもよく、また異なっていてもよい。
【００１８】
第１照明部２１は、内壁１５に囲まれるようにして筐体１０の中央側に配置されている。第１照明部２１は、所定の映像を表示するための複数の第１発光ユニット４が配置された第１光源２を有する。
【００１９】
第２照明部４１は、第１照明部２１の外周部分を囲むように内壁１５の外側に配置されている。第２照明部４１は、所定の照射面を照明するための第２光源２４を有する。第２光源２４は、第１照明部２１をＹ軸方向に挟むように配置された光源２４ａ、２４ｃ、第１照明部２１をＸ軸方向に挟むように配置された光源２４ｂ、２４ｄを含む。
【００２０】
ここで、筐体１０および第１光源２の構成について、図１、図２を参照して更に詳しく説明する。図２は、実施形態に係る照明装置１を示す図１のＡ−Ａ断面図である。
【００２１】
図２に示すように、筐体１０は、天井に埋め込まれる天面部１２と向かい合う光取出面１１が開口された箱形状を有しており、光取出面１１は、筐体１０のうち、Ｚ軸負方向側の端部に配置されている。また、筐体１０は、光取出面１１側の端部を囲むように、筐体１０の側壁１３から外側に延びるフランジ１４を有する。ここで、「光取出面１１側」とは、Ｚ軸方向に延びる筐体１０のうち、Ｚ軸負方向側であることをいう。同様に、Ｚ軸方向に延びる筐体１０以外の部材についても、Ｚ軸負方向側を、便宜上「光取出面１１側」として説明することがある。
【００２２】
照明装置１は、フランジ１４が天井面２０に接するように配置される。なお、照明装置１の取り付けは、いかなる手法であってもよい。例えば、筐体１０の側壁１３にバネ状の係止部材を配置し、天井に設けられた、筐体１０収容用の開口に係止させるものや、ねじなどの固定部材でフランジ１４と天井面２０とを固定するものであってもよいが、これらに限らない。
【００２３】
また、第１光源２は、第１基板３、第１発光ユニット４、第１放熱板５、第１点灯装置８、第１拡散カバー９を有する。
【００２４】
第１基板３は、例えばガラスエポキシ樹脂などの絶縁性を有する平面視で略正方形の平板であり、主面３ａ側には銅箔などの導電性材料で形成された配線パターンが施されている。また、適宜レジスト層が施されるようになっている。なお、第１基板３の材料は、絶縁材とする場合には、セラミックス材料又は合成樹脂材料を適用してもよい。また、第１基板３の材料は、金属製としてもよく、かかる場合には、例えばアルミニウムなどの熱伝導性が良好で放熱性に優れた材料を適用するのが好ましい。第１基板３は、例えば、ねじ止め等によって、第１放熱板５と密着するように取付けられている。第１基板３の主面３ａには、複数の第１発光ユニット４が実装されている。なお、第１基板３は、例えば平面視で長手方向と短手方向とを有する矩形状の平板であってもよい。
【００２５】
第１発光ユニット４は、発光色の異なる複数の発光素子を含む。発光素子は、例えばセラミックスで形成された本体に配設されたＬＥＤ（Light  Emitting  Diode）チップと、このＬＥＤチップを封止するエポキシ系樹脂やシリコーン樹脂等のモールド用の透光性樹脂とを含む。
【００２６】
ＬＥＤチップは、例えば、青色光を発する青色のＬＥＤチップを含む。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光を発する赤色のＬＥＤチップや緑色光を発する緑色のＬＥＤチップを含んでよい。さらに、ＬＥＤチップは、例えば電球色光を発するＬＥＤチップや昼光色光を発するＬＥＤチップを含んでよい。
【００２７】
また、第１発光ユニット４が有するＬＥＤは、ＬＥＤチップを直接第１基板３に実装するようにしてもよく、また、砲弾型のＬＥＤを実装するようにしてもよく、実装方式や形式は、特に限定されるものではない。本実施形態では、第１基板３上に１２行×１２列の合計１４４個の第１発光ユニット４が、Ｘ軸方向およびＹ軸方向に沿うように等間隔に配置されている。これらの第１発光ユニット４は、第１点灯装置８と並列接続されており、それぞれ独立して調光およびフルカラー調色可能に構成されている。
【００２８】
第１放熱板５は、第１基板３の裏側に配置された高い放熱性を有する平板であり、第１基板３を介して第１発光ユニット４から伝わった熱を放熱させる。本実施形態では、第１放熱板５は、内壁１５と一体に構成されている。なお、第１放熱板５は、内壁１５とは別の部材で構成してもよい。
【００２９】
第１点灯装置８は、商用交流電源に接続されており、この商用交流電源を受けて直流出力を生成する。第１点灯装置８は、第１電源制御装置６および第１調光調色制御装置７を含む。第１電源制御装置６は、第１発光ユニット４を有する第１光源２を点灯制御するように構成される。また、第１調光調色制御装置７は、第１発光ユニット４を有する第１光源２を調光および調色制御するように構成される。
【００３０】
第１点灯装置８は、第１基板３を介して第１発光ユニット４に収容された発光素子にそれぞれ接続されており、直流出力を発光素子に供給し、発光素子を点灯制御する。これにより、第１発光ユニット４では、各発光素子が発する光が合成されて出射される。
【００３１】
第１拡散カバー９は、例えば、アクリルやポリカーボネート等の透光性の材料から作られている。第１拡散カバー９は、平面視で略正方形の平板状を有しており、第１照明部２１を囲む内壁１５からＸＹ平面方向に折曲された支持部１６に架け渡され、平面視で第１基板３と重なるように支持される。また、第１拡散カバー９は、フロスト処理が施されて第１発光ユニット４から出射される光を拡散する機能を有するようになっている。なお、第１拡散カバー９に適宜拡散材を混入させて光の拡散性をもたせるようにしてもよい。
【００３２】
次に、第２光源２４の構成について、図１、図２、図３を参照して更に詳しく説明する。図３は、実施形態に係る照明装置１を示す図１のＢ−Ｂ断面図である。
【００３３】
第２光源２４を構成する光源２４ａ、２４ｂ、２４ｃ、２４ｄはいずれも、Ｘ軸方向またはＹ軸方向に延びる長尺の同じ部材である。このため、以下では、第２光源２４の一例として光源２４ａの構成について説明する。
【００３４】
図３に示すように、光源２４ａは、第２基板３３、第２発光ユニット３４、第２放熱板３５、第２点灯装置２８、第２拡散カバー３６を有する。
【００３５】
第２基板３３は、Ｘ軸方向に延びる長尺の部材である。第２基板３３は、第１基板３と同じ材料で構成してもよく、また異なっていてもよい。第２基板３３は、例えば、ねじ止め等によって、第２放熱板３５と密着するように取付けられている。第２基板３３の主面３３ａには、第２基板３３の長手方向に沿って複数の第２発光ユニット３４が実装されている。
【００３６】
第２発光ユニット３４は、色温度の異なる複数の発光素子を含む。第２発光ユニット３４は、第１発光ユニット４に収容された発光素子と同様に、例えばセラミックスで形成された本体に配設されたＬＥＤチップと、このＬＥＤチップを封止するエポキシ系樹脂やシリコーン樹脂等のモールド用の透光性樹脂とを含む。
【００３７】
第２発光ユニット３４は、例えば、電球色光を発するように構成されるＬＥＤチップおよび透光性樹脂を含む発光素子を有する。また、第２発光ユニット３４は、例えば、電球色光とは色温度の異なる白色光を発するように構成されるＬＥＤチップおよび透光性樹脂を含む発光素子を有する。なお、第２発光ユニット３４は、例えば昼白色光や昼光色を発するように構成されてもよい。
【００３８】
また、第２発光ユニット３４が有するＬＥＤは、ＬＥＤチップを直接第２基板３３に実装するようにしてもよく、また、砲弾型のＬＥＤを実装するようにしてもよく、実装方式や形式は、特に限定されるものではない。本実施形態では、第２基板３３上に複数の第２発光ユニット３４が、第２基板３３の長手方向に沿うように等間隔に配置されている。これらの第２発光ユニット３４は、第２点灯装置２８と直列接続されており、それぞれ同じ色温度となるように切替可能に構成されている。
【００３９】
第２放熱板３５は、第２基板３３の裏側に配置された高い放熱性を有する平板であり、第２基板３３を介して第２発光ユニット３４から伝わった熱を放熱させる。なお、第２放熱板３５は、第１放熱板５と同じ材料で構成してもよく、また別の部材で構成してもよい。
【００４０】
第２点灯装置２８は、商用交流電源に接続されており、この商用交流電源を受けて直流出力を生成する。第２点灯装置２８は、第２電源制御装置２６および第２調光調色制御装置２７を含む。第２電源制御装置２６は、第２発光ユニット３４を有する第２光源２４を点灯制御するように構成される。また、第２調光調色制御装置２７は、第２発光ユニット３４を有する第２光源２４を調光および調色制御するように構成される。
【００４１】
第２点灯装置２８は、第２基板３３を介して第２発光ユニット３４に収容された発光素子にそれぞれ接続されており、直流出力を発光素子に供給し、発光素子を点灯制御する。これにより、第２発光ユニット３４では、各発光素子が発する光が合成されて出射される。
【００４２】
第２拡散カバー３６は、例えば、アクリルやポリカーボネート等の透光性の材料から作られている。第２拡散カバー３６は、第２基板３３の長手方向に沿った長尺状を有しており、例えば、図示しない装着部に嵌着させるようにして固定される。また、第２拡散カバー３６は、フロスト処理が施されて第２発光ユニット３４から出射される光を拡散する機能を有するようになっている。なお、第２拡散カバー３６に適宜拡散材を混入させて光の拡散性をもたせるようにしてもよい。
【００４３】
このように、第２照明部４１では、色温度の異なる複数の発光素子を含む第２発光ユニット３４が複数配置された第２光源２４が、第２発光ユニット３４の発光および第２拡散カバー３６の構成に応じた光を照明装置１の下方に向けて照射し、所定の照射面を照明する。
【００４４】
なお、上記では、第２光源２４が、色温度が異なる複数の発光素子を収容した第２発光ユニット３４を有するとして説明したが、色温度が可変となるように構成されていれば第２光源２４の構成は特に限定されない。例えば、上記した第２発光ユニット３４に代えて、色温度の異なる２種類のＬＥＤを、第２基板３３の長手方向に沿うように交互に配置し、これらのＬＥＤのうち一方または両方を点灯可能に構成してもよい。
【００４５】
また、実施形態に係る照明装置１が備える筐体１０および内壁１５のうち、第１発光ユニット４および第２発光ユニット３４から照射される光が届く部位については、表面が反射面となるように構成してもよい。また、例えば、上記した各部位に対して光反射性を有する白色塗料を塗布して反射面を構成してもよく、また、予め金属製の反射板で構成してもよい。これにより、第１発光ユニット４および第２発光ユニット３４から照射された光を効率よく利用することができる。
【００４６】
このように、実施形態１に係る照明装置１は、筐体１０、第１照明部２１、第２照明部４１を有する。筐体１０は、光取出面１１を有する。第１照明部２１は、筐体１０の中央側に配置され、出力する光を調色可能な複数の第１発光ユニット４を有し、所定の映像を表示する。また、第２照明部４１は、光取出面１１に沿う方向において第１照明部２１の周囲に配置され、所定の照射面を照明する。これにより、実施形態１に係る照明装置１によれば、空間演出および空間照明に適する照明装置を提供することができる。
【００４７】
また、実施形態１に係る第１照明部２１と第２照明部４１とは、好ましくは色相が互いに異なる光を出射する。具体的には、例えば、第２光源２４からの照射光を白色、第１光源２からの照射光を青色や赤色といった白色以外の色となるようにそれぞれ構成される。これにより、第１照明部２１および第２照明部４１からの照射光が調和された、空間演出および空間照明に適する照明装置１を提供することができる。なお、第１照明部２１から出射される光は単色でなくてもよく、例えばグラデーションを表現した映像を表示するものであってもよい。
【００４８】
また、実施形態１に係る第２照明部４１は、第１照明部２１よりも輝度が高い光を出射する。これにより、第１照明部２１および第２照明部４１から出射された光が調和された、空間演出および空間照明に適する照明装置１を提供することができる。
【００４９】
また、実施形態１に係る照明装置１は、第１照明部２１と第２照明部４１との間に第１照明部２１の光取出面側の端部よりも突出する内壁１５をさらに有する。第２照明部は、光取出面側の端部３６ａが、内壁１５が有する光取出面側の端部１６ａよりも光取出面１１から離れるように配置される。具体的には、第２光源２４の光取出面側の端部、すなわち第２拡散カバー３６の表面３６ａ（図３参照）が、第１光源２の光取出面側の端部、すなわち第１拡散カバー９の表面９ａ（図２参照）よりも長さＬ１だけ光取出面１１から離れるように配置される。これにより、第１照明部２１および第２照明部４１からの照射光が調和された、空間演出および空間照明に適する照明装置１を提供することができる。
【００５０】
また、実施形態１に係る第２照明部４１は、好ましくは内壁１５により遮蔽される遮光角θが４５°以下の鋭角であり、より好ましくは３０°以上４０°以下である。これにより、第１照明部２１および第２照明部４１からの照射光が調和された、空間演出および空間照明に適する照明装置１を提供することができる。
【００５１】
ここで、「遮光角θ」とは、第２光源２４から照射される直射光が、遮光性を有する内壁１５により遮蔽されることで第１光源２からＺ軸負方向に照射される直射光と混光されない上限となる角度を、ＸＹ平面を基準として示した理論上の値をいう。
【００５２】
図２に示す実施形態１を例にとると、断面視で、内壁１５の稜線１７と第２光源２４（光源２４ｂ）の稜線２４ｇとを結んだ線分とＸ軸とのなす角度を「第２光源２４（光源２４ｂ）の遮光角θ」という。なお、稜線１７は、内壁１５の外面１５ａと内壁１５が有する光取出面側の端部、すなわち下面１６ａとの交差線である。また、稜線２４ｇは、筐体１０の側壁１３側に位置する第２光源２４（光源２４ｂ）の端面２４ｆと第２光源２４の光取出面側の端部である第２拡散カバー３６の表面３６ａとの交差線である。
【００５３】
遮光角θが小さくなりすぎると、第１光源２および第２光源２４からの照射光が過度に混光されてしまい、第１光源２からの照射光に基づく画像を視認することが困難となる場合がある。また、遮光角θが大きくなりすぎると、第１光源２および第２光源２４からの照射光が分離されてしまい、照射光が十分に調和されない場合がある。
【００５４】
なお、遮光角θは、例えば、光源２４ｂのＸ軸方向およびＺ軸方向の位置を変更することで調整することができる。また、遮光角θは、Ｚ軸方向に延びる内壁１５の長さ、すなわち内壁１５の光取出面側の端部の位置を変更することによっても調整することができる。
【００５５】
次に、第２光源２４の構成について図３、図４を用いてさらに説明する。図４は、実施形態１に係る照明装置１が備える第２光源２４を示す断面図である。図４では、図３と同様に第２光源２４の一例として光源２４ａの構成について説明する。
【００５６】
図４に示すように、光源２４ａは、互いに着脱可能な本体部２２と発光部２３とを有する。すなわち、図４は、図３に示す照明装置１から発光部２３が取り外された光源２４ａを示したものである。
【００５７】
本体部２２は、凹部３０を有する本体側コネクタ２９（以下、「コネクタ２９」と称する）と凹部３２を有する本体側コネクタ３１（以下、「コネクタ３１」と称する）とを含む。コネクタ２９は、第２点灯装置２８と配線４０を介して電気的に接続されている。また、コネクタ３１は、第２点灯装置２８と配線４２を介して電気的に接続されている。
【００５８】
一方、発光部２３は、コネクタ２９の凹部３０に対応する凸状の発光部側コネクタ３８（以下、「コネクタ３８」と称する）と、コネクタ３１の凹部３２に対応する凸状の発光部側コネクタ３９（以下、「コネクタ３９」と称する）とを含む。コネクタ３８、３９はそれぞれ、第２基板３３上の配線パターン（図示せず）と電気的に接続されている。
【００５９】
発光部２３を本体部２２に取り付ける際には、発光部２３が有するコネクタ３８および３９を、本体部２２が有するコネクタ２９の凹部３０およびコネクタ３１の凹部３２に、それぞれ挿入し、本体部２２の当接面２５と発光部２３の当接面３７とを密接させる。これにより、本体部２２および発光部２３が電気的に接続された光源２４ａとなる。
【００６０】
図４に示すように、本体部２２が有する第２点灯装置２８と発光部２３とを電気的に接続する配線４０、４２は、本体部２２の内部に収容され、第２基板３３と第２拡散カバー３６との間には配線４０、４２に相当する部材は配置されていない。このため、第２発光ユニット３４から照射された光が第２拡散カバー３６に到達するまでに遮られることなく、光源２４ａからの照射光として適切に利用することができる。
【００６１】
［実施形態１の変形例］
図５は、実施形態１の変形例１に係る照明装置１を示す断面図であり、図６は、実施形態１の変形例２に係る照明装置１を示す断面図である。図５、図６に示す照明装置１は、第２拡散カバー３６の形状を除き、実施形態１に係る照明装置１と同様に構成されている。
【００６２】
図５に示す照明装置１は、平板状の第２拡散カバー３６に代えて、照射面に対して凸状に湾曲した第２拡散カバー５９を備える点が実施形態１に係る照明装置１と相違する。また、図６に示す照明装置１は、平板状の第２拡散カバー３６に代えて、照射面に対して凹状に湾曲した第２拡散カバー６９を備える点が実施形態１に係る照明装置１と相違する。
【００６３】
実施形態１の変形例１、２に係る照明装置１によれば、平板状の第２拡散カバー３６を有する照明装置１と比較してより立体的な空間演出を実現することができる。
【００６４】
なお、図５、図６では、Ｘ軸方向にのみ湾曲した第２拡散カバーについて示したが、Ｙ軸方向についても同様に湾曲させた形状を有する第２拡散カバーを用いてもよい。
【００６５】
また、図５、図６では、第２拡散カバーの厚さはほぼ同じとして示したが、これに限らない。例えば、図５に示す第２拡散カバー５９の表面５９ａおよび裏面５９ｂのうち、一方をＸＹ平面に沿うように形成してもよい。また、図６に示す第２拡散カバー６９の表面６９ａおよび裏面６９ｂのうち、一方をＸＹ平面に沿うように形成してもよい。
【００６６】
［実施形態２］
図７は、実施形態２に係る照明装置を示す平面図である。図７に示すように、実施形態２に係る照明装置１Ａは、筐体１０、内壁１５、第１照明部２１、第２照明部４１を有する。
【００６７】
実施形態２に係る照明装置１Ａは、実施形態１に係る照明装置１と比較して、第２照明部４１の配置が異なる。すなわち、第２照明部４１は、光取出面１１に沿う方向において第１照明部２１を挟むように第１照明部２１の周囲に配置された光源２４ａ、２４ｃを含む。
【００６８】
実施形態２に係る照明装置１Ａによれば、筐体１０、第１照明部２１、第２照明部４１を有する。筐体１０は、光取出面１１を有する。第１照明部２１は、筐体１０の中央側に配置され、出力する光を調色可能な複数の第１発光ユニット４を有し、所定の映像を表示する。第２照明部４１は、光取出面１１に沿う方向において第１照明部２１の周囲に配置され、所定の照射面を照明する。これにより、空間演出および空間照明に適する照明装置１Ａを提供することができる。
【００６９】
なお、図７では、内壁１５は第１照明部２１を囲むように配置されたが、内壁１５は第１照明部２１と第２照明部４１との間に配置されていればよい。すなわち、第１照明部２１と筐体１０との間に第２照明部４１が配置されていない箇所には内壁１５を設けなくてもよい。また、例えば第１照明部２１が平面視で矩形状の場合、第２照明部４１は平面視で第１照明部２１の長手方向に沿うように配置されてもよく、短手方向に沿うように配置されてもよい。
【００７０】
また、上述した説明では、照明装置１、１Ａは天井埋め込みタイプであるとして説明したが、天井直付けタイプであってもよく、また天井吊り下げタイプであってもよい。かかる場合、筐体１０のフランジ１４は不要である。また、照明装置１、１Ａは天井以外の場所、例えば壁面に取り付けてもよい。
【００７１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００７２】
１、１Ａ  照明装置
２  第１光源
３  第１基板
４  第１発光ユニット
８  第１点灯装置
９  第１拡散カバー
１０  筐体
１１  光取出面
１５  内壁
２１  第１照明部
２４  第２光源
２４ａ、２４ｂ、２４ｃ、２４ｄ  光源
２８  第２点灯装置
３３  第２基板
３４  第２発光ユニット
３６、５９、６９  第２拡散カバー
４１  第２照明部
【図１】
2018147747.tif 000003
【図２】
2018147747.tif 000004
【図３】
2018147747.tif 000005
【図４】
2018147747.tif 000006
【図５】
2018147747.tif 000007
【図６】
2018147747.tif 000008
【図７】
2018147747.tif 000009